(57)【要約】【課題】      バンカーでの練習を、身近な場所で容易に出来るようにしたゴルフのバンカー用練習具を提供する。【解決手段】  外周面の全面に亘って放射状に多数の弾性針１を植設された球体２と、上面に多数の弾性毛４を植設された人工芝板５とを備えている。【選択図】        図１
2006247351.tif 000002
【特許請求の範囲】
【請求項１】
外周面の全面に亘って放射状に多数の弾性針１を植設された球体２と、上面に多数の弾性毛４を植設された人工芝板５とを有するゴルフのバンカー用練習具。
【発明の詳細な説明】
【技術分野】
【０００１】  この発明は、ゴルフのバンカー用練習具に関する。
【背景技術】
【０００２】  ゴルフの打ち放し練習場に、バンカー用練習設備を備えているものは極めて稀である。ところが、バンカーからの脱出は、なかなか難しいものであり、練習の必要性は、ゴルファーが痛感しているところである。
【発明の開示】
【発明が解決しようとする課題】
【０００３】  例えば自宅にてバンカーでのスイングを練習するには、庭に模擬バンカーを設備することになるが、スイングの際、砂が飛散できて、ボールが飛翔できる、かなりの広さを必要とする。かかる広さを通常の庭で確保することは極めて難しい。
この発明は、バンカーでの練習を、身近な場所で容易に出来るように工夫されたゴルフのバンカー用練習具を提供するものである。
【課題を解決するための手段】
【０００４】
【０００５】  上記課題を解決するため、この発明は、外周面の全面に亘って多数の弾性針１を植設された球体２と、上面に多数の弾性毛４を植設された人工芝板５とを備えたゴルフのバンカー用練習具に構成した。
【発明の効果】
【０００６】  人口芝板５の上面に球体２を置いてゴルフのバンカー用クラブ（以下、これをサンドウエッジと言う）でこの球体２の直ぐ手前の人工芝板５の弾性毛４の箇所を、クラブのエッジ（クラブフェイスとバンス（クラブフェイスの裏面）とで形成されているスイング側端部）にて叩くようにスイングすることにより、バンカーでの練習が実行できる。
即ち、人口芝板５の上面に置かれた球体２は、その弾性針１と人工芝板５の弾性毛４との夫々の先端部が互いに入り込むような状態となっている。この状態で、球体２の直ぐ手前の人工芝板５の弾性毛４の箇所を、エッジにて叩くようにスイングする。
このとき、弾性毛４の先端上部分は、バンスをスイング方向前方へ押動して上記球体２の弾性針１を介して球体２を斜め前方へ撥ね飛ばすことになる。
球体２外周面の多数の弾性針１は、この撥ね飛ばしのときに大きい空気抵抗を生じるため、飛距離は僅かとなる。【０００７】  スイングが正しいものであれば、バンスは弾性毛４の先端上部分をスイング方向前方へ押動するので、弾性毛４は球体２の弾性針１を介してこの球体２を、弾性毛４の上面である水平面に対して、約３０°程度の仰角で斜め前方へ撥ね飛ばすことになる。【０００８】  これに対し、スイングが不正なときは、次項で述べるように、球体２は真上方向に放擲され、あるいは、球体２は水平面を這うようにして前方へ放擲される。【０００９】  即ち、球体２が真上方向に放擲されるのは、いわゆるダフりと呼ばれている不正なスイングであり、これは、エッジが球体２からかなり離れた下方を叩くものである。このとき、バンスが弾性毛４によって前上方向に押動され、弾性針１を介して球体２は、真上方向に持ち上げるように撥ね飛ばされている。【００１０】  又、球体２が水平面を這うようにして前方へ放擲されるのは、いわゆるトップと呼ばれている不正なスイングであり、これは、エッジが球体２を直接叩いたり、或は、エッジが球体２の下部付近の弾性針１を叩いたために、下部の弾性針１が球体２を前方へ撥ね飛ばすものである。【００１１】  以上のように、この発明のゴルフのバンカー用練習具を用いれば、砂の飛散は無く、ゴルフボールの過大な飛翔も無く、球体２の放擲軌跡を見ることによってスイングの正、不正を容易に判別し得て、身近な場所でのスイングの練習が容易となった。
【発明を実施するための最良の形態】
【００１２】  以下、この発明を実施するための最良の形態を図に基づき説明する。
図１は、この発明の一実施の形態に係るゴルフのバンカー用練習具の正面図（使用時では側面図となる）である。
ゴルフボールに相当するものは、外周面の全面に多数の弾性針１が放射状に設けてある球体２である。
同図では、図を簡明にするため、正面視で球体２の最大径部に設けられている弾性針１のみを示している。
砂に相当するものは、基板３に多数の弾性毛４を密生して植えた人工芝板５である。【００１３】  球体２は、中空に硬質プラッチックで軽量に造られ、弾性針１は、十分な弾性を備えて剛性を持つビニールで造られるのが好ましい。
球体２外周面の多数の弾性針１は、放擲時に大きい空気抵抗を生じるため、飛距離は僅かとなる。【００１４】  基板３は、軟質ビニール板または、ゴム板が好ましく、これにより、多少の凹凸がある路面でも、基板３は安定して設置される。
弾性毛４は、十分な弾性を備えて剛性を持つビニールで造られるのが好ましく、エッジによる打撃を受けたときの弾性毛４の弾性と剛性の反発力は、砂が飛散するときにゴルフボールに作用する放擲力に対応できる。【００１５】  この発明の上記構成は、以下に述べるように、従来からプロゴルファなど、熟達したプレーヤーによって実用されている、バンカー練習法を参考にして想到したものである。以下、従来の上記バンカー練習法における、スイング過程を図３（ａ）〜（ｄ）に基づき説明する。
これは、芝草１５の上に置かれた松かさ１２を、バンカー内の砂に落ち込んでいるゴルフボールに見立てて、この松かさ１２の直ぐ手前の芝草１５をサンドウェッジ６で叩くものである。
図３（ａ）〜（ｄ）は、正しいスイングのとき、スイング過程をビデオカメラで撮影した写真をなぞったもので、視線を低くした斜視図で示している。【００１６】  図３（ａ）は、サンドウェッジ６を松かさ１２のかなり手前で構えている、正しいアドレス位置である。
図３（ｂ）は、ショットの直前を示すものである。このアドレス位置から、松かさ１２が置かれている直ぐ手前の芝草１５の箇所を、サンドウェッジ６のエッジにて叩くようにスイングしてショットする。【００１７】  図３（ｃ）は、ショット直後を示すもので、芝草１５の先端上部分は、サンドウェッジ６のバンスをスイング方向前方へ押動して松かさ１２をわずかに撥ね上げている。
図３（ｄ）は、正しいスイング終了時を示すもので、松かさ１２は、芝草１５の芝上面である水平面に対して、約３０°程度の仰角で斜め前方へ撥ね飛ばされている。【００１８】  次にこの発明のゴルフのバンカー用練習具を用いたスイング過程を、図４（ａ）〜（ｄ）に基づき説明する。
図４（ａ）〜（ｄ）は、正しいスイングがなされたときのスイング過程を側面図で示している。
図４（ａ）は、サンドウェッジ６を球体２のかなり手前で構えている、正しいアドレス位置である。
図４（ｂ）は、ショットの直前を示すものである。このアドレス位置から球体２が置かれている直ぐ手前の人工芝板５の箇所を、サンドウェッジ６のエッジにて叩くようにスイングしてショットする。【００１９】  図４（ｃ）は、ショット直後を示すもので、人工芝板５の弾性毛４は、サンドウェッジ６のバンスをスイング方向前方へ押動して弾性針１を介して球体２をわずかに撥ね上げている。
図４（ｄ）は、正しいスイング終了時を示すもので、球体２は、人工芝板５の弾性毛４の上面である水平面に対して、約３０°程度の仰角で斜め前方へ撥ね飛ばされている。
球体２外周面の多数の弾性針１は、この撥ね飛ばしのときに大きい空気抵抗を生じるため、飛距離は僅かとなる。【００２０】  図２に、この発明のゴルフのバンカー用練習具を使用したときのスイング軌跡と球体２の放擲位置を、正しいスイング、不正なスイングの夫々の場合について、側面図で示した。
人工芝板５に置かれているときの球体２は、実線で示されている。【００２１】  正しいスイングのとき、スイング軌跡と球体２の放擲位置を、何れも一点鎖線で示している。
球体２は人工芝板５の弾性毛４の上面である水平面に対して、約３０°程度の仰角で斜め前方へ撥ね飛ばされている。【００２２】  いわゆるダフりと呼ばれている不正なスイングのとき、スイング軌跡と球体２の放擲位置を何れも二点鎖線で示している。
サンドウェッジのエッジ（図示は省略）は球体２からかなり離れた下方を叩いていて、バンスが弾性毛４によって前上方向に押動され、弾性針１を介して球体２は真上方向に持ち上げるように撥ね飛ばされている。【００２３】  又、いわゆるトップと呼ばれている不正なスイングのとき、スイング軌跡と球体２の放擲位置を何れも点線で示している。
図示しないエッジが球体２を直接に叩いたり、或は、エッジが球体２の下部付近の弾性針１を叩いたために、下部の弾性針１が球体２を前方へ撥ね飛ばしている。
【図面の簡単な説明】
【００２４】
【図１】  この発明のゴルフのバンカー用練習具の正面図である。
【図２】  図１のバンカー用練習具を使用したときのスイングの正、不正の夫々の場合のスイング軌跡と球体の放擲位置を示す側面図である。
【図３】  従来のバンカー練習法でのスイング過程を示すもので、視線を低くした斜視図である。
【図４】  この発明のバンカー用練習具を使用したときのスイング過程を示す側面図である。
【符号の説明】
【００２５】    １  弾性針
２  球体
３  基板
４  弾性毛
５  人工芝板
６  サンドウェッジ
【図１】
2006247351.tif 000003
【図２】
2006247351.tif 000004
【図３】
2006247351.tif 000005
【図４】
2006247351.tif 000006